(57)【特許請求の範囲】
【請求項１】
膏体基剤中に加水分解シルク液、加水分解シルクエチル液、加水分解シルク末から選択される繭由来成分を配合し、該配合した半固形製剤又は液剤をマスク本体や眼鏡及びゴーグル装着部分に塗り、マスク自体及び肌とマスク、眼鏡、ゴーグル装着部分との隙間から花粉及びウイルスの進入を防止することを特徴とするマスクや眼鏡及びゴーグル用の花粉及びウイルス対策外用製剤。
【請求項２】
前記配合した半固形製剤又は液剤は、クリーム、ジェル、軟膏液剤、スプレー剤から選択されることを特徴とする請求項１に記載のマスクや眼鏡及びゴーグル用の花粉及びウイルス対策外用製剤。
【請求項３】
前記繭由来成分としてセリシンを配合し、該セリシンは、加水分解シルク液、加水分解シルクエチル液、加水分解シルク末から選択される繭由来の蛋白質であることを特徴とする請求項１又は２に記載のマスクや眼鏡及びゴーグル用の花粉及びウイルス対策外用製剤。
【請求項４】
前記外用剤中に、抗ウイルス作用を有するリナロール、シトロネロール、ゲラニオール、α―テルピネオール、メントール、カルバクロール、チモールから選択される精油成分を配合したことを特徴とする請求項１乃至３のいずれかに記載のマスクや眼鏡及びゴーグル用の花粉及びウイルス対策外用製剤。
【請求項５】
前記外用剤中に鳥インフルエンザウイルスに反応する抗体、および／または、インフルエンザウイルスに反応する抗体を含有することを特徴とする請求項１乃至４のいずれかに記載のマスクや眼鏡及びゴーグル用の花粉及びウイルス対策外用製剤。
【請求項６】
前記外用製剤中に殺ウイルス作用を持つクラゲの体を覆う粘液、および／または、トロロアオイの粘液物質、カンゾウ、および／または、バンランコンである生薬エキスをから選択される物質を一種以上含有することを特徴とする請求項１乃至５のいずれかに記載のマスクや眼鏡及びゴーグル用の花粉及びウイルス対策外用製剤。
【請求項７】
前記外用製剤中に抗不安、鎮静、リラックスから選択される精神安定作用を有するセントジョンズワート、パッションフラワー、ホップ、ラベンダー、リンデン、レモングラス、レモンバーム、レモンパベーナ、ローズから選択されるハーブ由来の精油成分及びモミ、カヴァ、バレリアンの精油成分を含有することを特徴とする請求項１乃至６のいずれかに記載のマスクや眼鏡及びゴーグル用の花粉及びウイルス対策外用製剤。
【発明の詳細な説明】
【技術分野】
【０００１】
本発明は、花粉症やウイルス感染に対する予防法として使用するマスクや眼鏡及びゴーグル使用時に花粉やウイルスが、粘膜に吸着したり、体内に吸い込まれないように補助的作用を有する外用製剤の技術分野に属する。
【背景技術】
【０００２】
現在、国内の花粉症患者は、急激に増加しており、現在では、全人口の２０％〜３０％（約２４００〜３６００万人）が罹患していると推定される。特に、２月上旬から４月中旬のスギ、４月から５月上旬にかけてのヒノキの花粉は、日本の代表的な花粉症発症の原因花粉（抗原）として知られている。
花粉症とは、花粉が原因となって引き起こされるアレルギー症状を指し、その花粉によるアレルギー症状の代表的なものとして、アレルギー性鼻炎とアレルギー性結膜炎が有る。
又、インフルエンザは毎年冬から春先にかけて流行し、学校での集団感染や重症化する症例が多くなり、予防と万延対策が重要になってきている。
最近では動物と人間とのウイルス遺伝子の混合が起こり、次々に変種が誕生し、その中でも人への毒性が強く、死亡率も高い鳥インフルエンザウイルスの中でもＨ５Ｎ１型が韓国、香港、ベトナムと東アジアで大きな被害を出している。
【０００３】
日本に花粉症が急激に増加した原因として以下の可能性が考えられる。
（１）アレルギー体質となりやすい食生活の変化
（２）体の抵抗力の低下
（３）ストレス
（４）ディーゼルエンジンの排出粒子
近年は新型ヒトインフルエンザのパンデミックが数十年起こっていないこと、死亡率の減少などからインフルエンザは風邪の一種で恐れる病気ではないと認識する人が多くなったが、これは誤解でありインフルエンザの症状はいわゆる風邪と呼ばれる症状の中でも別格と思えるほどに重く、区別して取り扱われる。パンデミック化したインフルエンザは人類にとって極めて危険なウイルスである。
【０００４】
花粉症は、上記（１）〜（４）の説のいくつかが重なって、体に変化を及ぼして花粉症が引き起こされているものと考えられる。
インフルエンザは咳、くしゃみなどによる飛沫感染が主であり、経口・経鼻で呼吸器系に感染する。但し飛沫感染（空気感染）や接触感染など違った形式によるものもある。  
【０００５】
花粉症が引き起こされない為には、下記の対策が考えられる。
（１）花粉が目や鼻の粘膜に付かないようにする。
Ａ．外出時もしくは帰宅時
イ．外出時にはマスクや眼鏡、ゴーグルを使用する(特許文献１)。
ロ．外出から帰宅したとき、家の外で衣服の表面や頭部についた花粉をよく払ってから家の中に入る。
ハ．うがい・手洗い・洗髪・洗顔して花粉を除去する。
Ｂ．家の周辺もしくは室内
イ．花粉が付着しないように洗濯物は、外に干さない。
ロ．花粉が室内に入らないように窓を開けない。
ハ．掃除機をこまめに掛けて花粉を除去する。
Ｃ．飲食
イ．普段から出来るだけ青野菜（ビタミン類）を摂るようにする。
ロ．酒を控える（花粉症を悪化させない為）。
（２）減感作療法を用いる。
（抗原特異的）減感作療法とは、抗原を皮下注射して花粉症を引き起こさないようにする治療法である。初回濃度は、抗原の１０倍の希濃度系列により皮内陽性反応を呈する１００倍低濃度（０.０５ｍｌ／回，１週間に１回，約４週間）より開始し、抗原液を順次増量する。このようにすることが、通常の外来抗原に対してアレルギー反応を抑制しようとする療法である。
（３）肥満細胞が活性化されてアレルギーを引き起こす物質が放出されるのを抑える薬を使用する。
（４）肥満細胞から放出された物質が鼻や目を攻撃するのを抑える薬を使用する。
【０００６】
インフルエンザの予防手段としては日常生活上の注意とワクチンを使用した予防接種がある。具体的な感染予防対策を下記に示す。
(1)免疫力を落とさない（偏らない十分な栄養や睡眠休息を十分にとる）。
(2)物理的な方法でウイルスへの接触や体内への侵入を減らす（石鹸による手洗いの励行や手で目や口を触らないこと、手袋やマスクの着用）。
(3)感染の可能性が考えられる場所に長時間いることを避ける（人ごみや感染者のいる場所）。
(4)換気をこまめに行ない部屋の湿度（５０〜６０％）を保つ（ウイルスを追い出し、飛沫感染の確立を大幅に減らす）。
(5)うがいを実行する（ウイルスは口や喉の粘膜に付着してから体内に侵入する）。
(6)感染者が使用した鼻紙やマスクは密封し廃棄する。
【０００７】
ところで、花粉症は、花粉の進入（粘膜の付着）→花粉の成分（抗原）に対する抗体（ＩｇＥ）の生産→抗体の肥満細胞への結合→再び花粉の進入→肥満細胞上で花粉の成分（抗原）と抗体の反応→肥満細胞が活性化してアレルギーを引き起こす物質の放出→目や鼻を攻撃→花粉症が発症、の過程を経て発症する。
これらの一連の過程で最終的に花粉症として発症するため、これらのどこの段階を抑えても花粉症を一応抑えられるが、最も理想的な方法は、初期段階で花粉が粘膜に付着するのを防ぐことである。
インフルエンザウイルスにはＡ型・Ｂ型・Ｃ型があり、現在ヒトの間で流行している型は、Ａ型のソ連型（Ｈ１Ｎ１亜型）・香港型（Ｈ３Ｎ２亜型）、Ｂ型の３タイプである。Ｃ型もヒトに感染するが、流行は起こりにくいとされている。
主な感染経路は、患者の咳やくしゃみに含まれるウイルスを吸い込むこと（飛沫感染）である。また、ウイルスが付着した手を介した感染（接触感染）もある。
これらの感染を防ぐには予防接種や咳エチケット（咳やくしゃみをするときは、ハンカチ・ティッシュやマスクを口と鼻にあて、他のヒトに直接飛沫がかからないようにする）、手洗い・うがいの励行）の３点がポイントとなる。
【先行技術文献】
【特許文献】
【０００８】
【特許文献１】特開２００６−１８７５０８号公報
【発明の概要】
【発明が解決しようとする課題】
【０００９】
しかしながら、従来の花粉症の必然的に用いる予防対策では次のような問題点がある。
花粉が目や鼻の粘膜に付かない用にする方法は、外出時のマスクや眼鏡、ゴーグルをかけることは、違和感があるものの、通常の日常生活で容易に実施できるが、花粉の多い空間での長時間滞在によってはマスクや眼鏡、ゴーグルをかけた肌の隙間から花粉が進入することで完全に防ぐことが出来ず、その効果も不十分であると言わざるを得ない。
また、肌とマスクや眼鏡、ゴーグルの隙間を少なくして花粉の侵入を防ごうとすると肌に強く押し付けたり、付属のゴムひも等で強く圧迫するために装着部に障害（血流障害による発赤、傷）や違和感（肌の一時的な陥没）を伴い、更に長時間の装着によって息苦しさから精神的不安を伴う。
インフルエンザの必然的な予防対策ではマスク装着があり、上記花粉症の場合と同様なマスク使用時の問題点に加えてウイルスのマスク透過に対する遮断効果を高める目的でガーゼ層を厚くしたり密にしたりといった物理的処理に加えて抗ウイルス効果を有する物質の化学的処理によりガーゼ自体の通気性を抑え、結果として長時間装着によって息苦しくなり、マスクをずらして呼吸することによって感染する危険性が高い。
また、マスクを掛けた状態での呼吸作用によってマスク自体の表面の繊維間に飛散可能な不十分な状態で吸着された花粉やウイルスがマスクを外す段階で飛散し、その結果、飛散した花粉やウイルスが鼻腔粘膜や目の粘膜更に口腔粘膜に付着し、症状を悪化させる。
【００１０】
このように、花粉症の予防対策には花粉が鼻や目の粘膜に付着しないようにマスクやメガネ、ゴーグルを掛ける方法が一番安全且つ簡便で効果的であるが、マスクや眼鏡、ゴーグルをかけた場合の肌との隙間が呼吸時に花粉を吸引するといった問題点があり、それを解決するために装備品を強く肌に押し付けることによって肌への障害が発生し、更に呼吸困難な状況となりマスク装着を不安定にし、さらにマスク除去時にマスク外側表面に吸着した花粉が再飛散し、粘膜に付着しやすくなる状況を作り出しているのが現状である。
インフルエンザもウイルスが鼻や口を通して体内に侵入するのを防ぐためにフィルター機能や殺ウイルス効果を持つ各種のマスクを装着する方法が一般的であるが、上記の花粉症の場合と同様な問題点が提起されている。
本発明が解決しようとする課題は、前述した問題点に鑑みてなされたもので、花粉症やインフルエンザ感染防止において、従来の場合のマスクや眼鏡、ゴーグルの花粉やウイルスを遮断する効果を、より確実なものにし、装着後の肌の炎症の軽減と回復を促すマスクや眼鏡及びゴーグル用に塗布する外用製剤を提供することにある。
【課題を解決するための手段】
【００１１】
前記課題を解決すべく、研究を重ねた結果、本発明は、花粉症及びインフルエンザ予防のために、マスクや眼鏡及びゴーグル用に塗布してマスクや眼鏡、ゴーグルの花粉やウイルスを遮断し、装着後の肌の炎症の軽減と回復を促す外用製剤に想到したもので、その手段は次のとおりのものである。
すなわち、花粉及びインフルエンザウイルスがマスクや眼鏡及びゴーグルを装着した肌との隙間から進入し粘膜に付着するのをガードする目的で、その前段階でのマスクや眼鏡及びゴーグルの肌との接触面及びその周辺に外用製剤による被膜層を作り、装着物と肌との密着度（密封度）を高めたものであり、たとえ僅かでも、進入した物に対しては基剤の吸着作用により花粉或いはウイルスをトラップして粘膜との接触を予防することを特徴としたものである。
また、基剤中に抗ウイルス作用を有する物質を添加することによってトラップしたウイルスを殺し、より確実な感染予防効果を期待したものである。更に、基剤中に抗不安、鎮静、リラックス効果を有するハーブ等を添加することによってマスクの装着を長時間確実なものにし、結果として感染予防を確実なものにしたものである。そして、ハーブ自体に抗ウイルス作用を有するものを使用すればマスクフィルターを通過してマスクと肌の空間に侵入したウイルスを抑制することも可能である。更にマスクの繊維自体に吸着作用を維持できれば、マスク自体の外部繊維に不十分な状態で吸着した花粉やウイルスがマスクを外す段階で再飛散することを防止できる。
【００１２】
すなわち、請求項１の発明は、膏体基剤中に加水分解シルク液、加水分解シルクエチル液、加水分解シルク末から選択される繭由来成分を配合し、該配合した半固形製剤又は液剤をマスク本体や眼鏡及びゴーグル装着部分に塗り、マスク自体及び肌とマスク、眼鏡、ゴーグル装着部分との隙間から花粉及びウイルスの進入を防止することを特徴とするマスクや眼鏡及びゴーグル用の花粉及びウイルス対策外用製剤である。
請求項２の発明は、請求項１に記載のマスクや眼鏡及びゴーグル用の花粉及びウイルス対策外用製剤において、 前記配合した半固形製剤又は液剤は、クリーム、ジェル、軟膏液剤、スプレー剤から選択されることを特徴とする。
請求項３の発明は、請求項１又は２に記載のマスクや眼鏡及びゴーグル用の花粉及びウイルス対策外用製剤において、繭由来成分としてセリシンを配合し、該セリシンは、加水分解シルク液、加水分解シルクエチル液、加水分解シルク末から選択される繭由来の蛋白質であることを特徴とする。
【００１３】
請求項４の発明は、請求項１乃至３のいずれかに記載のマスクや眼鏡及びゴーグル用の花粉及びウイルス対策外用製剤において、前記外用剤中に、抗ウイルス作用を有するリナロール、ゲラニオール、メントール、カルバクロール、チモールから選択される精油成分を配合したことを特徴とする。
リナロールとしてはラベンダー、コリアンダー、プチグレイン、タイム・ケモタイプ・リナコールが含まれ、シトロネロールとしてはゼラニウム、ローズオットーが含まれ、ゲラニオールとしてはパロマローザが含まれ、α―テルピネオールとしてはユーカリラジアータ、ニアウリ、ラベンサラが含まれ、テルピネン−４−olとしてはティートリー、マジョラムが含まれ、メントールとしてはペパーミント、スペアミントが含まれ、カルバクロールとしてはオレガノが含まれ、チモールとしてはタイム、オレガノが含まれる。
請求項５の発明は、請求項１乃至４のいずれかに記載のマスクや眼鏡及びゴーグル用の花粉及びウイルス対策外用製剤において、外用剤中に鳥インフルエンザウイルスに反応する抗体（Ｈ５Ｎ１型反応抗体）、および／または、インフルエンザウイルスに反応する抗体（Ｈ１Ｎ１，Ｈ１Ｎ２，Ｈ２Ｎ２，Ｈ３Ｎ２）を含有することを特徴とする。
請求項６の発明は、請求項１乃至５のいずれかに記載のマスクや眼鏡及びゴーグル用の花粉及びウイルス対策外用製剤において、外用製剤中に殺ウイルス作用を持つクラゲの体を覆う粘液、および／または、トロロアオイの粘液物質、カンゾウ、および／または、バンランコンである生薬エキスをから選択される物質を一種以上含有することを特徴とする。
請求項７の発明は、請求項１乃至６のいずれかに記載のマスクや眼鏡及びゴーグル用の花粉及びウイルス対策外用製剤において、前記外用製剤中に抗不安、鎮静、リラックスから選択される精神安定作用を有するセントジョンズワート、パッションフラワー、ホップ、ラベンダー、リンデン、レモングラス、レモンバーム、レモンパベーナ、ローズから選択されるハーブ由来の精油成分及びモミ、カヴァ、バレリアン（セイヨウカノコソウ）の精油成分を含有することを特徴とする。
【発明の効果】
【００１４】
本発明の請求項１のマスクや眼鏡及びゴーグル用の花粉及びウイルス対策外用製剤によれば、外用基剤の中に、加水分解シルク液、加水分解シルクエチル液、加水分解シルク末から選択される一種以上の物質とセリシンを含有し、花粉やウイルスがマスク、眼鏡、ゴーグルと肌の隙間から呼吸作用によって進入し、鼻、目及び口腔の粘膜に付着しないようにマスク自体、及び、肌とマスク、ゴーグル、眼鏡との隙間に薄い粘着性膜を作りガードし、特に、セリシンのクリーム剤や液剤はウイルスを吸着する機能が優れていて、鼻、目及び口腔に侵入する前にマスク等に吸着してしまうという効果がある。さらに、鼻や鼻口近傍の皮膚や粘膜において花粉自体のはぜ割れを防止して、抗原が花粉から出てこないように花粉自体を膜で被覆するものである。また、インフルエンザウイルスを粘着性膜で捕獲して体内への侵入を防止し、更に抗ウイルス作用を有する物質やウイルスに反応する抗体を基剤に含有させることによってウイルス自体の活性を落とし、その後のアレルギー症状の発現を抑制とウイルス感染を予防するという効果を奏する。更に抗不安、鎮静、リラックスといった精神安定作用を有する精油成分を基剤に配合することによって密封に近いマスク装着による不安と息苦しさを開放し、マスクの長時間に亘る装着を容易なものにし、結果として花粉症やウイルス感染症の予防をより確実にするといった効果を発揮する。
【００１５】
また、請求項２〜７の発明のマスク用外用製剤によれば、請求項１の効果に加えマスク自体にこの外用製剤を処理することによって、マスク自体のフィルターとしての予防効果をさらに確実に高めることができると共にマスク自体の繊維に不十分に吸着された花粉やウイルスがマスクを外す段階で飛散し、結果的に花粉やウイルスを口や鼻口から吸入したり、目や鼻の粘膜に付着することになるといった最悪の結果を回避するという効果を奏する。
【図面の簡単な説明】
【００１６】
【図１】本発明の実施例１乃至３についてのスギ花粉のトラップ(補足)試験結果の[表１]の図
【図２】本発明の実施例１乃至３についての花粉侵入阻止率の[表２]の図
【図３】本発明の実施例２についての抗菌試験結果の[表３]の図
【図４】本発明の実施例３についてのマスク装着に伴う不快感改善試験結果の[表４]の図
【発明を実施するための形態】
【００１７】
本発明の特徴は、花粉及びインフルエンザウイルスがマスクや眼鏡及びゴーグルを装着した肌との隙間から進入し粘膜に付着するのをガードする目的で、その前段階でのマスクや眼鏡及びゴーグルの肌との接触面及びその周辺に外用製剤による被膜層を作り、装着物と肌との密着度（密封度）を高めたものであり、たとえ僅かでも、進入した物に対しては基剤の吸着作用により花粉或いはウイルスをトラップして粘膜との接触を予防することを実現したものである。
次ぎに、本発明の好適な実施例について説明する。
【実施例１】
【００１８】
実施例１の外用製剤は、マスク用クリーム剤で、その組成は以下のようなものである。
[実施例１:マスク用クリーム剤の組成]
加水分解シルク液・・・・・・・・・・・・・  ２.０ W/W％
バンランコンエキス・・・・・・・・・・・・  ０.１ W/W％
カンゾウエキス・・・・・・・・・・・・・・  ０.１ W/W％
クニウムチン・・・・・・・・・・・・・・・  １.０ W/W％
レモンバーム（精油）・・・・・・・・・・・  ０.１ W/W％
ステアリンサン・・・・・・・・・・・・・・  ２.０ W/W％
ステアリルアルコール・・・・・・・・・・・  ５.０ W/W％
還元ラノリン・・・・・・・・・・・・・・・  １.０ W/W％
スクワラン・・・・・・・・・・・・・・・・  ６.０ W/W％
オクチルドデカノール・・・・・・・・・・・  ３.０ W/W％
プロピレングリコール・・・・・・・・・・・  ５.０ W/W％
精製水・・・・・・・・・・・・・・・・・・  適量
計                           １００.０ W/W％
【００１９】
実施例１：マスク用クリーム剤の製法
バンランコンエキスとカンゾウエキスを精製水に攪拌下に溶解し、これを調製液(1)とする。次に、別途、プロピレングリコールにオクチルドデカノール、スクワラン、還元ラノリンを順次添加し、加温攪拌しながらステアリルアルコール、ステアリンサン、クニウムチンを添加し、これを調製液(2)とする。そして、前記調製液(1)に前記調製液(2)を添加し、１０分後にクニウムチンを添加し、更に１０分間加温下で加水分解シルク液を攪拌下に添加して製する。
【００２０】
実施例１では繭由来成分として単独の加水分解シルク液を用いたが、加水分解シルクエチル液、加水分解シルク末等から選択される繭由来の蛋白質であればよい。さらに、繭由来成分としてセリシンを、単独、或いは前記加水分解シルクエチル液、加水分解シルク末等と混合して配合してもよい。なお、該セリシンは、加水分解シルク液、加水分解シルクエチル液、加水分解シルク末等から選択される繭由来の蛋白質である。特に、セリシンのクリーム剤や液剤はウイルスを吸着する機能が優れていて鼻、目及び口腔に侵入する前にウイルスを吸着してしまうという作用がある。
また、抗ウイルス作用を有するリナロール、ゲラニオール、メントール、カルバクロール、チモールから選択される精油成分を配合してもよく、これらにはリナロールとしてはラベンダー、コリアンダー、プチグレイン、タイム・ケモタイプ・リナコールが含まれ、シトロネロールとしてはゼラニウム、ローズオットーが含まれ、ゲラニオールとしてはパロマローザが含まれ、α―テルピネオールとしてはユーカリラジアータ、ニアウリ、ラベンサラが含まれ、テルピネン−４−olとしてはティートリー、マジョラムが含まれ、メントールとしてはペパーミント、スペアミントが含まれ、カルバクロールとしてはオレガノが含まれ、チモールとしてはタイム、オレガノが含まれる。
また、鳥インフルエンザウイルスに反応する抗体（Ｈ５Ｎ１型反応抗体）、インフルエンザウイルスに反応する抗体（Ｈ１Ｎ１，Ｈ１Ｎ２，Ｈ２Ｎ２，Ｈ３Ｎ２）を含有させてもよい。 
更に、実施例１では殺ウイルス作用を持つクラゲ等の体を覆う粘液として、糖たんぱく質の一種のクニウムチン、生薬エキスであるバンランコンエキス、カンゾウエキス等を配合したが、トロロアオイの粘液物質等を含有させてもよい。
これらの物質を配合することにより、花粉やウイルスの吸込みを阻止するとともに、補足したウイルスを減少させることができる。
【実施例２】
【００２１】
実施例２の外用製剤は、マスク用液剤で、その組成は以下のようなものである。
[実施例２：マスク用液剤の組成]
柿の葉抽出エキス・・・・・・・・・・・・・・０.３W/W%
ペパーミント・・・・・・・・・・・・・・・・０.１W/W%
加水分解シルク液・・・・・・・・・・・・ ・・1.０W/W%
ローズ（精油）・・・・・・・・・・・・・・・０.１W/W%
グリセリン・・・・・・・・・・・・・・・・・５.０W/W%
エチルアルコール・・・・・・・・・・・・・・１.０W/W%
精製水・・・・・・・・・・・・・・・・・・・適量
計                              １００.０W/W%
【００２２】
実施例２：マスク用液剤の製法
精製水に柿の葉エキスを加えて、十分に混合攪拌し、これを調製液(1)とする。グリセリンにエチルアルコール、ローズ、ペパーミントを順次加え、これを調整液(2)とする。そして、調製液(1)に調製液(2)を加え、約１０分間十分に攪拌したのち加水分解シルク液を攪拌下に添加して製する。
【００２３】
本実施例も、実施例１と同様に、殺・抗ウイルス作用を有する物質を配合しても良く、更に、抗不安、鎮静、リラックスといった精神安定作用を有する物質として、本実施例ではペパーミントやローズ精油を配合したが、セントジョンズワート、パッションフラワー、ホップ、ラベンダー、リンデン、レモングラス、レモンバーム、レモンパベーナ等から選択されるハーブ由来の精油成分及びモミ、カヴァ、バレリアン（セイヨウカノコソウ）の精油成分を配合してもよい。
【実施例３】
【００２４】
実施例３の外用製剤は、マスク用スプレー剤で、その組成は以下のようなものである。
[実施例３:マスク用スプレー剤の組成]
緑茶抽出エキス・・・・・・・・・・・・・・・０.２W/W%
ラベンダー油（精油）・・・・・・・・・・・・０.１W/W%
加水分解シルク液・・・・・・・・・・・・・・２.０W/W%
グリセリン・・・・・・・・・・・・・・・・・１.０W/W%
エチルアルコール・・・・・・・・・・・・・・１.０W/W%
精製水・・・・・・・・・・・・・・・・・・・適量
計                          １００.０W/W%
【００２５】
実施例３：マスク用スプレー剤の製法
緑茶抽出エキスを精製水に溶解し、ラベンダー油、エチルアルコール及びグリセリンを混合したものを攪拌下に添加する。最後に加水分解シルク液を加え、１０分間攪拌・練合して製する。
なお、本実施例も実施例１及び２で述べたように、殺・抗ウイルス作用を有する物質や抗不安、鎮静、リラックスといった精神安定作用を有する物質を配合しても良い。
【００２６】
ここで、本発明の前記実施例１乃至３の外用製剤の特徴の一つは、外用製剤基剤中に花粉又はウイルスに対する吸着被膜ガード層を形成し、且つ、ウイルス自体を捕獲・抑制或いは殺す成分を配合したものであるが、吸着被膜ガード層の成分としては、更に、肌に無害に口、目、鼻孔周辺部位の肌に延びやすく、粘膜刺激性も無くかつ、抗酸化作用のあるものが好ましく、具体的には、加水分解シルク液、加水分解シルクエチル液、加水分解シルク末がよい。
ここで、加水分解シルク液、加水分解シルクエチル液、加水分解シルク末は合成の粘性物質に比較して、抗原性が低く、安全に使用でき、また、花粉やウイルスをガード被膜で吸着・トラップしやすく、その持続性に優れ、更に、皮膚及び粘膜の強化・再生作用を有する点で、大きな差がある。
【００２７】
なお、上記の実施例の組成中、加水分解シルク液、加水分解シルクエチル液、加水分解シルク末に含有されるペプチドは少なすぎると花粉やウイルスに対する吸着被膜ガード層の吸着効果が悪く、多すぎると製剤化が難しくなるので加水分解シルク液の場合、窒素として０.０１５〜２.５％、加水分解シルクエチル液は７.０〜１６.０％、加水分解シルク末では１３.０〜１８.０％程度がよい。    
【００２８】
次に、実施例１のマスク用クリーム剤について、スギ花粉に対するトラップ(補足）効果を確認する試験を行い、その結果を説明する。
[スギ花粉の実施例１乃至３の製剤によるトラップ試験]
被検体：(１)マスクにマスク用クリーム製剤（実施例１）を塗布
(２)マスクにマスク用液剤（実施例２）を塗布
(３)マスクにマスク用スプレー剤（実施例３）をスプレー(散布)
(４)マスク(比較例２)
(５)ポリエステル製不織布（比較例３）
(６)無処置(比較例１)
【００２９】
試験方法：
直径３.５cm、長さ２０cmのプラスチック製円筒の先端に四層不織布マスク[ポリエステル不織布・ポリプロピレン不織布・ノーズフィルター（ポリエチレン）]を１０cm×１０cmにカットしたマスク素材(比較例２)を被せ、先端から約２cmの位置で輪ゴムで簡易固定した。
更に、先端から１０cmの位置をカットし、直径５cmの円形フィルター（ろ紙）をセットしビニールテープで密封固定した。次に、交流用１００Ｖ(AC)パワーコンパクトクリーナー（TV-660BL:株式会社オーム電機製）の吸引口を上記円筒の開放下部にセットした状態で密封空間（3.5cm2×20cmのポリ容器）の底に固定した。
５ｇのスギ花粉をビニール袋内で叩き出したものを密封空間であるポリ容器内で開放し、スギ花粉を密封容器内に充満させた。その後クリーナーのスイッチを１０秒間入れ、フィルター上に吸着した花粉数を拡大鏡を用いてカウントした。この操作を５回繰り返し実施し、その平均値を求めた。
被検体は円筒先端部から３cmの位置までマスクでカバーする前に、それぞれ実施例１乃至３を均一に塗布した。比較例３として不織布（ポリエステル製）単独使用を設定し、何も処置しないものをコントロール(比較例１)とした。
【００３０】
実施例１の試験結果：
試験結果を図１の[表１]及び図２[表２]に示す。
比較例１の無処理のコントロールでは５回の試験実施の花粉累積数1318個、平均値263.6個であった。比較例３の不織布単独では累積数528個、平均値105.6個であり比較例１(コントロール)に対する花粉阻止率は59.9％であった。比較例２のマスク地では累積数168個、平均値33.6個であり、阻止率87.3％であった。  これに対してマスクと実施例１のクリーム処理をした場合は累積花粉数３個であり、花粉阻止率は99.8％であり、実施例２、実施例３の液状の製剤で処理した場合は、累積花粉数１１個及び１０個で、花粉阻止率は、実施例１の99.8%よりやや阻止率は劣るが、99.2％であった。
以上の結果からマスクに本発明の実施例１のクリーム製剤を処理すること、また、実施例２及び実施例３の液剤やスプレー剤で処理することによって、花粉に対する遮断効果をより確実にできることが明確になった。
【００３１】
実施例２のマスク用液剤の抗菌試験
被検体：マスク用液剤（実施例２）
試験方法：
試験管内の大腸菌群の菌液10mlに実施例２を1ml(実施例2-1)、2ml(実施例2-2)及び3ml(実施例2-3)をそれぞれ添加し、良く混合攪拌した後、シャーレ上に形成させたデソキシコーレイト培地上に各攪拌菌を塗布した。処理したシャーレを恒温器内で35℃48時間培養し、培地上に形成されたコロニーをカウントした。  黄色ブドウ球菌についてはマンニット食塩培地を用いて培養条件は35℃48時間で上記と同様に処理した。尚、比較例４のコントロールとして実施例２を各菌液に添加しない群を設定した。
【００３２】
実施例２の試験結果：
試験結果を図３の[表３]に示す。
培養試験の結果、実施例２のマスク用液剤を添加しない比較例４（コントロール）では大腸菌群数は１８００であったが、実施例2-1の1ml添加群では１５０、実施例2-2の2ml添加群では８０、更に実施例2-3の３ml添加群では０であった。
同様に黄色ブドウ球菌では比較例４の無添加で360,実施例2-1の１ml添加群で２０、実施例2-2の２ml及び実施例2-3の３ml添加群では共に０であった。
無添加の比較例４のコントロール群に対する実施例２の添加群の各菌に対する抑制率は下記の通りであった。
大腸菌群に対する抑制効果：実施例2-1の１ml添加群で９１.７％、実施例2-2の2ml添加群で９５.６％、実施例2-3の3ml添加群で１００％であった。
黄色ブドウ球菌に対する抑制効果：実施例2-1の１ml添加群で９４.４％、実施例2-2の2ml添加群で１００％、実施例2-3の3ml添加群で100%であった。
以上の結果から実施例２の添加量に相関して大腸菌群及び黄色ブドウ球菌に対する抑制効果も高くなったことからＭＬは菌に対する抑制効果は確実なものであり、菌より活性の弱い各種のウイルスに対しても効果が期待できるものと考えられた。
【００３３】
実施例３のマスク用スプレー剤のマスク装着による不快感改善試験
被検体：マスク用スプレー剤（実施例３）
被験者：５３〜５８歳男性ボランティア  ５名
試験方法：
ウイルス対策用の立体構造のマスク（Ｄ社製）の内側（口側）に実施例３を１回及び２回軽くスプレーしたものを被験者にしっかりと装着させ、１時間毎に５時間後までマスクを掛けた状態での不快感を下記の不快指数表に従って各自に判定させた。尚、比較例５のコントロールとして実施例３を全くスプレーせずにマスク単独で使用した場合の不快感を上記と同様な方法で判定させた。又、不快指数表で求めた判定を不快指数点数として記録し参考指標とした。
不快指数表：
（−）  ：息苦しくなく、不快感無し・・・・・・（０点）
（+）   ：少し息苦しく、軽度に不快感・・・・（１０点）
（++）  ：息苦しく、不快感・・・・・・・・・（２０点）
（+++） ：息苦しく、非常に不快感・・・・・・（３０点）
（++++）：非常に息苦しく、マスクを外す・・・（４０点）
【００３４】
実施例３の試験結果：
試験結果を図４の[表４]に示す。
スプレー処理をしない比較例５のコントロール群ではマスクを装着して２時間後から徐々に息苦しさを唱える被験者が増え始め、４時間後で一人更に５時間後で５人中３人がマスクを外す結果となった。不快指数点数の平均値も時間の経過とともに高くなり、特に３時間後を境にして急激に不快指数点数の増加が認められた。
これに対して、実施例３のスプレー１回群ではマスク装着３時間目に５人中１人が軽度の不快感を認め、４時間目に２人、５時間目に３人の軽度の不快感を唱えたもののマスクを外す例は全く認められなかった。スプレー２回群ではマスク装着最終時間の５時間目でやっと軽度の不快感を唱える被験者(１名)を認める程度であった。
以上の結果から、不快感を意識せずにマスク装着できる限度は３時間と思われたが、実施例３のスプレーによりマスク装着による不快感が減少し、結果として長時間のマスク装着を可能にしたことはウイルスや花粉から感染症や花粉症の発症を予防するマスク対策の確実性が高まったものと考えられた。
【００３５】
以上のように、本発明の各実施例のマスクや眼鏡及びゴーグル用の花粉及びウイルス対策外用製剤によれば、外用基剤の中に、加水分解シルク液、加水分解シルクエチル液、加水分解シルク末から選択される一種以上の物質、又は、セリシンを含有させ、花粉やウイルスがマスク、眼鏡、ゴーグルと肌の隙間からの呼吸作用によって進入し、鼻、目及び口腔の粘膜に付着しないように肌とマスク、ゴーグル、眼鏡との隙間に薄い粘着性膜を作りガードし、さらに、鼻や鼻口近傍の皮膚や粘膜において花粉自体のはぜ割れを防止して、抗原が花粉から出てこないように花粉自体を膜で被覆する。また、インフルエンザウイルスを粘着性膜で捕獲して体内への侵入を防止し、更に抗ウイルス作用を有する物質やウイルスに反応する抗体を基剤に含有させることによってウイルス自体の活性を抑え、その後のアレルギー症状発現の抑制とウイルス感染を予防する。更に抗不安、鎮静、リラックスといった精神安定作用を有する精油成分を基剤に配合することによって密封に近いマスク装着による不安と息苦しさを開放し、マスクの長時間の装着を容易なものにしている。
更に、マスク自体にこの外用製剤を処理することによって、マスク自体のフィルターとしての予防効果をさらに確実に高めることができると共にマスク自体の外部繊維に不十分に吸着された花粉やウイルスがマスクを外す段階で飛散し、結果的に花粉やウイルスを口や鼻口から吸入したり、目や鼻の粘膜に付着することになるといった最悪の状態を回避する。
なお、本発明の特徴を損なうものでなければ、前記の各実施例に限定されるものでないことは勿論である。
【図１】
0005467678.tif 000002
【図２】
0005467678.tif 000003
【図３】
0005467678.tif 000004
【図４】
0005467678.tif 000005